(57)【要約】【課題】後側シート横のドアを開成した時に積み込み等ができる開口面積が確保することのできる自動車用シートを提供する。【解決手段】後側シート４は、シートクッション１０が前側に起き上がり且つシートクッション１０に対してシートバック１１が前倒ししてなると共に前側シート２に近接するまでスライド可能なタンブルシートであり、後側シート５は、立設されたシートバック３１に対してシートクッション３０の前側が立ち上がり可能なるチップアップシートであると共に後側シート４の後側までスライド可能である。【選択図】        図３
2004291697.tif 000002
【特許請求の範囲】
【請求項１】
前後左右に少なくとも４個配設されてなる前側シートおよび後側シートよりなる自動車用シートにおいて、
後側シートの左右いずれか一方は、シートクッションが前側に起き上がり且つ該シートクッションに対してシートバックが前倒ししてなると共に前側シートに近接するまでスライド可能なタンブルシートであり、
いずれか他方は、立設されたシートバックに対してシートクッションの前側がシートバック側に立ち上がり可能なるチップアップシートであると共に後側シートの一方側の後側位置までスライド可能なることを特徴とする乗り物用シート。
【請求項２】
前後左右に少なくとも４個配設されてなる前側シートおよび後側シートよりなる自動車用シートにおいて、
後側シートの左右いずれか一方は、シートクッションが前側に起き上がり且つ該シートクッションに対してシートバックが前倒ししてなると共に前側シートに近接するまでスライド可能なタンブルシートであり、
いずれか他方は、立設されたシートバックに対してシートクッションの前側がシートバック側に立ち上がり可能なるチップアップシートであると共に前側シートに近接するまでスライド可能なることを特徴とする乗り物用シート。
【請求項３】
請求項１又は請求項２に記載の乗り物用シートであって、
前記後側シートの左右いずれか一方を前後にスライドさせる前後スライド装置は、前記シートクッションに保持されてなる可動スライド機構と、該可動スライド機構に前後動自在なると共に前端部が床に上下回転可能に軸支されてなる固定スライド機構とよりなり、
前記固定スライド機構の後端部は、ロック機構により床に係合解除可能なることを特徴とする乗り物用シート。
【請求項４】
請求項３に記載の乗り物用シートであって、
前記ロック機構は、前記床に支持されてなるストライカと、前記固定スライド機構の後端部に回転自在に軸支されてなると共に操作機構により前記ストライカに係合解除可能なるロックプレートとよりなることを特徴とする乗り物用シート。
【請求項５】
請求項１又は請求項２に記載の自動車用シートであって、
前記後側シートの左右いずれか他方を左右にスライドさせる左右スライド装置は、前記シートクッションに保持されてなる可動スライド機構と、該可動スライド機構に左右動自在なると共に床に埋設されてなる固定スライド機構とよりなることを特徴とする乗り物用シート。
【発明の詳細な説明】
【０００１】
【発明の属する技術分野】
この発明は、前後左右に少なくとも４個配設されてなる前側シートおよび後側シートよりなる乗り物用シートに関するものである。
【０００２】
【従来の技術】
乗り物用シートとしては、前側シートおよび後側シートにより、前後左右に少なくとも４個配設されてなるものがあり、車室空間全体の利用性及び機能性を向上させるために、後側シート全体を左右どちらかに寄せたり、シートクッションが前側に起き上がり且つ該シートクッションに対してシートバックが前倒ししてなると共に前側シートに近接するまでスライド可能なタンブルシート、或いは立設されたシートバックに対してシートクッションの前側がシートバック側に立ち上がり可能なると共に前側シートに近接するまでスライド可能なチップアップシートがある（例えば、特許文献１。）。
【０００３】
【特許文献１】
特開平１１−２４５６９５号公報（構成の説明、図１乃至図４。）
【０００４】
【発明が解決しようとする課題】
しかしながら、このような従来の技術にあっては、シートクッションが前側に起き上がり且つ該シートクッションに対してシートバックが前倒ししてなると共に前側シートに近接するまでスライド可能なタンブルシートであっても、立設されたシートバックに対してシートクッションの前側がシートバック側に立ち上がり可能なると共に前側シートに近接するまでスライド可能なチップアップシートであっても、後側シートは床上に残るため、後側シートの横のドアを開成しても自転車等の積み込み積み卸しはできない。
【０００５】
この発明は、このような従来の技術に着目してなされたものであり、後側シートの横のドアを開成した時に自転車等の積み込み積み卸しができる開口面積が確保することのできる乗り物用シートを提供するものである。
【０００６】
【課題を解決するための手段】
請求項１に記載の発明は、前後左右に少なくとも４個配設されてなる前側シートおよび後側シートよりなる自動車用シートにおいて、後側シートの左右いずれか一方は、シートクッションが前側に起き上がり且つ該シートクッションに対してシートバックが前倒ししてなると共に前側シートに近接するまでスライド可能なタンブルシートであり、いずれか他方は、立設されたシートバックに対してシートクッションの前側がシートバック側に立ち上がり可能なるチップアップシートであると共に後側シートの一方側の後側位置までスライド可能なることを特徴とする。
【０００７】
請求項１に記載の発明によれば、タンブルシートであれ、チップアップシートであれ、後側シートを前側シートの左右何れかの方向に寄せ集めることができるので、後側シートの横のドアを開成した時の開口周りの空間を大きくできる。このため、後側シートの横のドアを開成した時に自転車等の積み込み積み卸しができる開口面積を確保することができる。
【０００８】
請求項２に記載の発明は、前後左右に少なくとも４個配設されてなる前側シートおよび後側シートよりなる自動車用シートにおいて、後側シートの左右いずれか一方は、シートクッションが前側に起き上がり且つ該シートクッションに対してシートバックが前倒ししてなると共に前側シートに近接するまでスライド可能なタンブルシートであり、いずれか他方は、立設されたシートバックに対してシートクッションの前側がシートバック側に立ち上がり可能なるチップアップシートであると共に前側シートに近接するまでスライド可能なることを特徴とする。
【０００９】
請求項２に記載の発明によれば、タンブルシートであれ、チップアップシートであれ、後側シートを前側シートのすぐ後側に寄せ集めることができるので、後側シートの横のドアを開成した時の開口周りの空間を大きくできる。このため、後側シートの横のドアを開成した時に自転車等の積み込み積み卸しができる開口面積を確保することができる。
【００１０】
請求項３に記載の発明は、請求項１又は請求項２に記載の自動車用シートであって、前記後側シートの左右いずれか一方を前後にスライドさせる前後スライド装置は、前記シートクッションに保持されてなる可動スライド機構と、該可動スライド機構に前後動自在なると共に前端部が床に上下回転可能に軸支されてなる固定スライド機構とよりなり、前記固定スライド機構の後端部は、ロック機構により床に係合解除可能なることを特徴とする。
【００１１】
請求項３に記載の発明によれば、可動スライド機構と固定スライド機構とよりなる前後スライド装置により前後動自在なると共に前側を中心に後側シートを回転できるので、前側シートの後側に後側シートを寄せることができる。また、ロック機構により床に係合できるので、前側シートの後側に寄せ集める必要のない時には、前後スライド装置は、その位置が確実に保持できる。
【００１２】
請求項４に記載の発明は、請求項３に記載の自動車用シートであって、前記ロック機構は、前記床に支持されてなるストライカと、前記固定スライド機構の後端部に回転自在に軸支されてなると共に操作機構により前記ストライカに係合解除可能なるロックプレートとよりなることを特徴とする。
【００１３】
請求項４に記載の発明によれば、床に支持されてなるストライカにロックプレートが係合している状態では、前後スライド装置は、その位置が確実に保持できる。また、操作機構によりロックプレートをストライカから解除させれば、前側を中心に後側シートを回転できるので、前側シートの後側に後側シートを寄せることができる。
【００１４】
請求項５に記載の発明は、請求項１又は請求項２に記載の自動車用シートであって、前記後側シートの左右いずれか他方を左右にスライドさせる左右スライド装置は、前記シートクッションに保持されてなる可動スライド機構と、該可動スライド機構に左右動自在なると共に床に埋設されてなる固定スライド機構とよりなることを特徴とする。
【００１５】
請求項５に記載の発明によれば、可動スライド機構と固定スライド機構とよりなる左右スライド装置により左右動自在なるので、一方の後側シートの後側に他方の後側シートを寄せることができる。
【００１６】
【発明の実施の形態】
以下、この発明の好適な実施形態を、図面を参照に説明する。
【００１７】
図１乃至図７は、この発明の第１実施形態に関する自動車用シート１を説明する。該自動車用シート１は、前後に第１シート２，３と第２シート４，５と第３シート６，７とが前後に列座している。
【００１８】
前記第１シート２は、運転席となる右側の前側シートであり、前記第１シート３は、助手席となる左側の前側シートである。前記第２シート４は、第１シート２の後側のシートであり、前記第２シート５は、第１シート３の後側のシートである。前記第３シート６は、第２シート４の後側のシートであり、前記第３シート７は、第２シート５の後側のシートである。
【００１９】
前記右側の第２シート４は、シートクッション１０とシートバック１１と前後スライド装置１２とよりなり、シートクッション１０がヒンジ機構１３を中心に前側に起き上がりが可能、つまり、前後スライド装置１２の前端部に支持されたヒンジ機構１３によりシートクッション１０の後側１０ａが矢印に示すように上側に持ち上がることであり、該シートクッション１０に対してシートバック１１が前倒し可能、つまり、シートバック１１の下側が中心にシートバック１１の上側が前側に倒れ込むことが可能であると共に第１シート２に近接する位置までスライド可能なタンブルシートである。
【００２０】
前記左側の第２シート５は、シートクッション３０とシートバック３１と前後スライド装置３２と、左右スライド装置３３とよりなり、シートクッション３０がヒンジ３４を中心に前側が起き上がりが可能、つまり、前後スライド装置３２の後述する可動スライド機構３６に固定されたベース部材３５の後端部近傍に配された前記ヒンジ３４を中心にシートクッション３０の前側３０ａが矢印に示すように上側に持ち上がることであるチップアップシートであり、前記第２シート４の後側位置までスライド可能である。前記左右スライド装置３３は、前記前後スライド装置３２の後述する固定スライド機構３７に前後に離間して固定されている。
【００２１】
前後スライド装置１２は、前記シートクッション１０に保持されてなる可動スライド機構１４と、該可動スライド機構１４に前後動自在なると共に前端部が前記ヒンジ機構１３により床１５に対して上下回転可能に軸支されてなる固定スライド機構１６とよりなり、該固定スライド機構１６の後端部１６ａは、ロック機構１７により床１５に係合解除可能である。前記ヒンジ機構１３は、上端部が前記固定スライド機構１６の前端部１６ｂに固定され、下端部が前記床１５に固定され、両者が軸により回転自在に軸支されている。
【００２２】
前記ロック機構１７は、前記床１５に支持されてなるストライカ１８と、前記固定スライド機構１６の後端部１６ａに回転自在に軸支されてなると共に操作機構１９により前記ストライカ１８に係合解除可能なるロックプレート２０とよりなる。前記ストライカ１８は、左右スライド装置３３の後述する固定スライド機構３９の後端部より迫り出したブラケット２１に溶接支持されている。
【００２３】
前後スライド装置３２は、前記ベース部材３５に保持されてなる可動スライド機構３６と、該可動スライド機構３６に前後動自在なる固定スライド機構３７とよりなる。
【００２４】
前記左右スライド装置３３は、前記シートクッション３０を保持したベース部材３５及び前後スライド装置３２の固定スライド機構３７に保持されてなる可動スライド機構３８と、該可動スライド機構３８に左右動自在なると共に床１５に埋設されてなる固定スライド機構３９とよりなる。前記可動スライド機構３８は、断面Ｊ字状に形成されてなり、前記固定スライド機構３９は、断面Ｃ字状に形成されてなり、固定スライド機構３９の隙間に可動スライド機構３８が挿入されている。
【００２５】
次に、この実施形態の作用を説明する。
【００２６】
通常使用状態：
【００２７】
第２シート４，５を寄せ集めない通常のシート１の使用状態においては、第２シート４，５の前後左右位置は固定され、第１シート２，３との間も確保されているため、乗員は安定した着座状態が得られる。
【００２８】
そして、通常使用状態において、第２シート４のみの前後位置を変えるには、図示しない操作手段をロック解除操作させると、図示しないロックが離脱して、床１５に固定された固定スライド機構１６に対して、可動スライド機構１４が前後何れかに移動することで、シートクッション１０の位置を移動させることができる。そして、希望する位置で、操作手段から手を離せば、再ロックして、シートの前後位置を固定する。
【００２９】
ドア周りの空間確保：
次に、第２シート４，５の横のドア開口４０周りの床１５に荷物の出し入れ可能な空間を確保する場合は、まず、図２に示すように、右側の第２シート４のシートバック１１の図示しないロック機構を解除し、シートバック１１を前倒しさせて、シートクッション１０に寝かせる。次に、ロック機構１７の操作機構１９によりロックプレート２０を操作して、ストライカ１８から解除させることで、ヒンジ機構１３を用いての固定スライド機構１６の後端部１６ａを持ち上げ自在とする。該固定スライド機構１６の後端部１６ａを持ち上げることで、第２シート４は、第１シート２の後側に沿うように回転させることができる。
【００３０】
この状態で、床１５に剥きだしになった固定スライド機構３９に対して、左側の第２シート５の図示しない操作手段をロック解除操作させると、図示しないロックが離脱して、床１５に固定された固定スライド機構３９に対して、可動スライド機構３８が右側に移動することで、図３及び図４に示すように、左側の第２シート５の位置を右側の第２シート４の後側に移動させることができる。そして、希望する位置で、操作手段から手を離せば、再ロックして、第２シートの左右位置を固定する。そうすると、左側の第２シート５のあった場所（網目）が、ドア開口４０周りの床１５に荷物の出し入れ可能な空間４１となる。
【００３１】
即ち、タンブルシートであれ、チップアップシートであれ、第２シート４，５を第１シート２，３の左右何れかの方向に寄せ集めることができるので、第２シート４，５の横のドアを開成した時の開口４０周りの空間４１を大きくできる。このため、第２シート４，５の横のドアを開成した時に自転車等の積み込み積み卸しができる開口４０の面積を確保することができる。
【００３２】
可動スライド機構１４と固定スライド機構１６とよりなる前後スライド装置１２により第２シート４は、前後動自在なると共に前側を中心に第２シート４を回転できるので、第１シート２の後側に第２シート４を寄せることができる。また、ロック機構１７により床１５に係合できるので、第１シート２の後側に寄せ集める必要のない時には、前後スライド装置１２は、その位置が確実に保持できる。
【００３３】
床１５に支持されてなるストライカ１８にロックプレート２０が係合している状態では、前後スライド装置１２は、その位置が確実に保持できる。また、操作機構１９によりロックプレート２０をストライカ１８から解除させれば、前側を中心に第２シート４を回転できるので、第１シート２の後側に第２シート４を寄せることができる。
【００３４】
可動スライド機構３８と固定スライド機構３９とよりなる左右スライド装置３３により左側の第２シート５は左右動自在なるので、右側の第２シート４の後側に左側の第２シート５を寄せることができる。
【００３５】
図８及び図９は、この発明の第２実施形態に関する自動車用シート５０を説明する。該自動車用シート５０は、前後に第１シート２，３と第２シート４，５１と第３シート６，７とが前後に列座している。
【００３６】
前記第１シート２は、運転席となる右側の前側シートであり、前記第１シート３は、助手席となる左側の前側シートである。前記第２シート４は、第１シート２の後側のシートであり、前記第２シート５１は、第１シート３の後側のシートである。前記第３シート６は、第２シート４の後側のシートであり、前記第３シート７は、第２シート５１の後側のシートである。
【００３７】
前記左側の第２シート５１は、シートクッション３０とシートバック３１と前後スライド装置５２とよりなり、シートクッション３０がヒンジ３４を中心に前側が起き上がりが可能、つまり、前後スライド装置５２の可動スライド機構５３に固定されたベース部材３５の後端部近傍に配された前記ヒンジ３４を中心にシートクッション３０の前側３０ａが矢印に示すように上側に持ち上がることであるチップアップシートである。
【００３８】
前記前後スライド装置５２は、前記ベース部材３５に保持されてなる可動スライド機構５３と、該可動スライド機構５３に前後動自在なる固定スライド機構５４とよりなり、該固定スライド機構５４は、床１５に埋設されてなる。
【００３９】
かかる第２実施形態によれば、第２シート４，５１を第１シート２，３の後側に直になるように沿わせる位置まで移動させることで、第２シート４，５１の後側に、第２シート４，５の横のドアを開成した時の開口４０周りの空間５５を大きくできる。このため、第２シート４，５１の横のドアを開成した時に自転車等の積み込み積み卸しができる開口５５の面積を確保することができる。
【００４０】
尚、以上の実施形態では、第２シートの右側をタンブルシートとし、左側をチップアップシートとして説明したが、これに限定されるものではない。また、第１実施形態で、第１シートの後側に第２シートを寄せ集めるように説明したが、これに限定されるものではなく、左側に寄せ集めても良い。また、前側シートを第１シート、後側シートを第２シートとして説明したが、これに限定されるものではなく、前側シートを第２シート、後側シートを第３シートとしても良いし、前側シートを第１シート、後側シートを第３シートとしても良い。この場合、後側シートの周囲に空間ができることは勿論である。
【００４１】
【発明の効果】
請求項１に記載の発明によれば、タンブルシートであれ、チップアップシートであれ、後側シートを前側シートの左右何れかの方向に寄せ集めることができるので、後側シートの横のドアを開成した時の開口周りの空間を大きくできる。このため、後側シートの横のドアを開成した時に自転車等の積み込み積み卸しができる開口面積を確保することができる。
【００４２】
請求項２に記載の発明によれば、タンブルシートであれ、チップアップシートであれ、後側シートを前側シートのすぐ後側に寄せ集めることができるので、後側シートの横のドアを開成した時の開口周りの空間を大きくできる。このため、後側シートの横のドアを開成した時に自転車等の積み込み積み卸しができる開口面積を確保することができる。
【００４３】
請求項３に記載の発明によれば、可動スライド機構と固定スライド機構とよりなる前後スライド装置により前後動自在なると共に前側を中心に後側シートを回転できるので、前側シートの後側に後側シートを寄せることができる。また、ロック機構により床に係合できるので、前側シートの後側に寄せ集める必要のない時には、前後スライド装置は、その位置が確実に保持できる。
【００４４】
請求項４に記載の発明によれば、床に支持されてなるストライカにロックプレートが係合している状態では、前後スライド装置は、その位置が確実に保持できる。また、操作機構によりロックプレートをストライカから解除させれば、前側を中心に後側シートを回転できるので、前側シートの後側に後側シートを寄せることができる。
【００４５】
請求項５に記載の発明によれば、可動スライド機構と固定スライド機構とよりなる左右スライド装置により左右動自在なるので、一方の後側シートの後側に他方の後側シートを寄せることができる。
【図面の簡単な説明】
【図１】この発明の第１実施形態に係る自動車用シート１を示す斜視図。
【図２】図１の第２シートを移動させた状態を示す平面図。
【図３】図２の後の第２シートを移動させた状態を示す斜視図。
【図４】図３の平面図。
【図５】図１の右側の第２シートの詳細を示す側面図。
【図６】図５のストライカ周りを示す斜視図。
【図７】図１の左側の第２シートの詳細を示す側面図。
【図８】この発明の第１実施形態に係る自動車用シート１を示す図３相当斜視図。
【図９】図８の左側の第２シートの詳細を示す側面図。
【符号の説明】
１、５０  自動車用シート
２，３  前側シートである第１シート
４，５，５１後側シートである第２シート
６，７  後側シートである第３シート
１０、３０  シートクッション
１０ａ  シートクッションの後側
３０ａ  シートクッションの前側
１１、３１  シートバック
１２、３２、５２  前後スライド装置
１３  ヒンジ機構
１４，３６、３８、５３  可動スライド機構
１５  床
１６，３７、３９、５４  固定スライド機構
１７  ロック機構
１８  ストライカ
１９  操作機構
２０  ロックプレート
３３  左右スライド装置
３４  ヒンジ
３５  ベース部材
４０、５５  第２シートの横のドア開口
４１  荷物の出し入れ可能な空間
【図１】
2004291697.tif 000003
【図２】
2004291697.tif 000004
【図３】
2004291697.tif 000005
【図４】
2004291697.tif 000006
【図５】
2004291697.tif 000007
【図６】
2004291697.tif 000008
【図７】
2004291697.tif 000009
【図８】
2004291697.tif 000010
【図９】
2004291697.tif 000011